(57)【要約】  非照光時において、簡易な構成で照光部の表示パターンが視認されない表示装置を提供することを目的とする。  照光部（ＡＬ１）と非照光部（ＮＬ１）とを有しする表示パネル（ＰＮ１）と、表示パネル（ＰＮ１）の背面側に配置され、照光部（ＡＬ１）を照明する照光部材（ＳＢ１）と、から構成された表示装置（１０１）であって、表示パネル（ＰＮ１）が、透光性の基材（１９）と、基材（１９）の照光部材（ＳＢ１）側の背面（１９ｂ）に形成された透光性のスモーク層（１３）と、を有し、スモーク層（１３）の照光部材（ＳＢ１）側の主面（１３ｍ）には、遮光性のカラー層（１５）が形成され、カラー層（１５）が、照光部（ＡＬ１）を形成するための開口部（１５ｋ）を有していることを特徴としている。
2014129577.tif 000002
【特許請求の範囲】
【請求項１】
照光部と非照光部とを有する表示パネルと、該表示パネルの背面側に配置され、前記照光部を照明する照光部材と、から構成された表示装置であって、  前記表示パネルは、透光性の基材と、該基材の前記照光部材側の背面に形成された透光性のスモーク層と、を有し、  前記スモーク層の前記照光部材側の主面には、遮光性のカラー層が形成され、  前記カラー層は、前記照光部を形成するための開口部を有していることを特徴とする表示装置。
【請求項２】
前記カラー層の前記照光部材側の主面には、遮光性のブラック層が形成されていることを特徴とする請求項１に記載の表示装置。
【請求項３】
前記スモーク層の透光率が１％以上であることを特徴とする請求項１に記載の表示装置。
【請求項４】
前記照光部材は、前記照光部を直接照明している発光光源を有していることを特徴とする請求項１に記載の表示装置。
【請求項５】
前記照光部材は、発光光源と、該発光光源からの光が入光する入光部を有するライトガイドと、を備えていることを特徴とする請求項１に記載の表示装置。
【発明の詳細な説明】
【技術分野】
【０００１】  本発明は、各種電子機器の操作パネルに用いられる表示装置に関し、特に、照光される表示パターンが非照光時において視認されない表示装置に関する。
【背景技術】
【０００２】  従来、各種電子機器の操作パネルにおいて、その表示部（表示パネル）のアイコンやシンボル等の表示パターンを照光することで、ユーザが夜間（暗い中）でも操作可能領域を視認することが可能な入力装置が使用されてきた。その際に、適用される製品の意匠性を高めるため、非照光時には表示パターンが視認されないようにし、照光時にのみ表示パターンが視認されるようにすることが求められていた。【０００３】  上述の要求に対応した従来技術として、特許文献１（従来例１）では、図１１に示すような操作パネル装置８０１が開示されている。図１１は、操作パネル装置８０１を説明する図であって、図１１（ａ）は、操作パネル装置８０１のエアコン操作モードにおける正面図であり、図１１（ｂ）は、操作パネル装置８０１のオーディオ操作モードにおける正面図であり、図１１（ｃ）は、操作パネル装置８０１のブラックアウト加工された前面板８０４の構造を模式的に示す要部断面図である。【０００４】  操作パネル装置８０１は、エアコン操作モード時には、図１１（ａ）に示すように、エアコン用表示部８０４ａが、前面板８０４の背後から照光されて表示パターンが視認され、オーディオ操作モード時には、図１１（ｂ）に示すように、オーディオ用表示部８０４ｂが、前面板８０４の背後から照光されて表示パターンが視認されるようになっている。一方、エアコン操作モード時には、オーディオ用表示部８０４ｂが視認されず、オーディオ操作モード時には、エアコン用表示部８０４ａが視認されず、所謂、ブラックアウト状態となっている。このブラックアウト状態を作り出すために、操作パネル装置８０１の前面板８０４には、ブラックアウト加工が施されている。【０００５】  前面板８０４は、図１１（ｃ）に示すように、透明パネル８４１の背面全面に透光性の黒色塗膜８４２（ブラック層）を形成した後、照光領域８０４ｃ（図１１（ａ）に示すエアコン用表示部８０４ａや図１１（ｂ）に示すオーディオ用表示部８０４ｂに相当する部分）を除いて、遮光性の黒色塗膜８４３を形成している。更に、照光領域８０４ｃを覆うように透光性の白色塗膜８４４（スモーク層）を形成している。このような構成にすることで、照光領域８０４ｃは、後方からの照光時には、その発光色と同様の色で照光されユーザに視認されるが、非照光時には、黒色塗膜８４２が照光領域８０４ｃより前面側にあるので、黒色塗膜８４２と同様の黒色（暗色）を呈する。それゆえ、非照光時に照光領域８０４ｃが視認されることを防止している。【０００６】  また、上述の要求に対応した同様の従来技術として、特許文献２（従来例２）では、図１２に示すような表示装置９０１が開示されている。図１２は、表示装置９０１を説明する図であって、図１２（ａ）は、表示装置９０１の表示パネル９０７の意匠面を示した正面図であり、図１２（ｂ）は、図１２（ａ）に示すＢ−Ｂ線における断面図である。【０００７】  表示装置９０１は、図１２（ｂ）に示すように、表示パネル９０７と表示パネル９０７の背面に配置された光源９０８とから構成されている。そして、表示パネル９０７は、光源９０８に対向して配置され光を拡散する拡散シート９０９と、拡散シート９０９の前面に配置され透明なスモーク色の樹脂層９１０と、樹脂層９１０と接着層９１１を挟んで配置された表示照明色層９１２と、を有している。更に、表示照明色層９１２の前面に配置されスモーク色のスモーク層９１３と、スモーク層９１３の前面に配置された黒色層９１４（ブラック層）と、を有している。この黒色層９１４は、光源９０８からの光が遮光される非照明領域９１７と光が透過する照明領域９１８とから構成されており、照明領域９１８が、図１２（ａ）に示す文字や図形、絵柄等の表示パターンＰＰを形成している。このような構成にすることで、照明領域９１８の表示パターンＰＰは、光源９０８の点灯時には、その発光色と同様の色で照光されユーザに視認されるが、非点灯時には、スモーク層９１３のスモーク色が視認され、非照明領域９１７の暗色と同じような色味（暗色）を呈する。それゆえ、非点灯時に表示パターンＰＰが視認されることを低減している。
【先行技術文献】
【特許文献】
【０００８】
【特許文献１】特開２０１０−６４５５０号公報
【特許文献１】特開２０１２−１４８５９９号公報
【発明の概要】
【発明が解決しようとする課題】
【０００９】  しかしながら、従来技術（従来例１及び従来例２）では、黒色塗膜８４２或いはスモーク層９１３を形成することで、表示部（照光領域８０４ｃ或いは照明領域９１８）とそれ以外の部分を暗色として視認されるようにしているが、光が透過する表示部と光が遮蔽されているそれ以外の部分とを完全に同じと視認させることは極めて困難であった。このため、非照光時において、表示部（表示パネル）の表示パターンが視認されないようにすることができないと言う問題点があった。【００１０】  本発明は、上述した課題を解決するもので、非照光時において、簡易な構成で照光部の表示パターンが視認されない表示装置を提供することを目的とする。
【課題を解決するための手段】
【００１１】  この課題を解決するために、本発明の表示装置は、照光部と非照光部とを有する表示パネルと、該表示パネルの背面側に配置され、前記照光部を照明する照光部材と、から構成された表示装置であって、前記表示パネルが、透光性の基材と、該基材の前記照光部材側の背面に形成された透光性のスモーク層と、を有し、前記スモーク層の前記照光部材側の主面には、遮光性のカラー層が形成され、前記カラー層が、前記照光部を形成するための開口部を有していることを特徴としている。【００１２】  これによれば、本発明の表示装置は、表示パネルの基材の背面にスモーク層を形成することで、照光部と非照光部のバックグラウンドの色をより一様にすることができるとともに、スモーク層に入射した光を拡散させることができる。このため、ユーザに対して、照光部と非照光部との境界をより見えにくくすることができる。更に、スモーク層の照光部材側の主面に黒色ではないカラー層を形成することで、非照光時において、非照光部のスモーク層とカラー層との界面での反射光をユーザが視認することになる。このため、カラー層の色調を調整することで、この界面での反射光を調節して、ユーザが視認する非照光部の色調と照光部の色調とを、近づけることができる。更に、スモーク層の色調も調整することで、スモーク層を透過する透過光を調節して、ユーザが視認する非照光部の色調と照光部の色調とを、より近づけることができる。これらのことにより、非照光時において、照光部の輪郭が視認されない状態を実現することができる。したがって、非照光時において、簡易な構成で照光部の表示パターンが視認されない表示装置を提供することができる。【００１３】  また、本発明の表示装置は、前記カラー層の前記照光部材側の主面には、遮光性のブラック層が形成されていることを特徴としている。  【００１４】  これによれば、このブラック層により、照光部材からの光を遮光することができる。このため、照光時において、非照光部側への光の透過を確実に防ぐことができる。また、カラー層にピンホール等の欠陥があった場合でも、非照光部側への光の透過を防ぐことができる。このことにより、照光時において、照光部と非照光部の差を明確にすることができ、適用される製品の意匠性を高めることができる。【００１５】  また、本発明の表示装置は、前記スモーク層の透光率が１％以上であることを特徴としている。【００１６】  これによれば、照光部を透過する光をより多くすることができる。このことにより、照光時において、ユーザが照光部の表示パターンをより明るく視認することができる。また、視認される明るさを一定にするように照光させる場合、スモーク層の透過率が高いので、選択する照光部材の輝度を低く抑えることができ、表示装置の省電力化を行うことができる。【００１７】  また、本発明の表示装置は、前記照光部材が、前記照光部を直接照明している発光光源を有していることを特徴としている。【００１８】  これによれば、照光時において、照光部を直接照明でき、表示パターンをより一層明るく表示することができる。【００１９】  また、本発明の表示装置は、前記照光部材が、発光光源と、該発光光源からの光が入光する入光部を有するラ���トガイドと、を備えていることを特徴としている。【００２０】  これによれば、照光時において、発光光源からの光を照光部に効率良く導くことができる。このことにより、照光部を均一に光らせることができ、適用される製品の品質を高めることができる。
【発明の効果】
【００２１】  本発明の表示装置は、表示パネルの基材の背面にスモーク層を形成することで、照光部と非照光部のバックグラウンドの色をより一様にすることができるとともに、スモーク層に入射した光を拡散させることができる。このため、ユーザに対して、照光部と非照光部との境界をより見えにくくすることができる。更に、スモーク層の照光部材側の主面に黒色ではないカラー層を形成することで、非照光時において、非照光部のスモーク層とカラー層との界面での反射光をユーザが視認することになる。このため、カラー層の色調を調整することで、この界面での反射光を調節して、ユーザが視認する非照光部の色調と照光部の色調とを、近づけることができる。更に、スモーク層の色調も調整することで、スモーク層を透過する透過光を調節して、ユーザが視認する非照光部の色調と照光部の色調とを、より近づけることができる。これらのことにより、非照光時において、照光部の輪郭が視認されない状態を実現することができる。したがって、非照光時において、簡易な構成で照光部の表示パターンが視認されない表示装置を提供することができる。
【図面の簡単な説明】
【００２２】
【図１】本発明の第１実施形態の表示装置を説明する図であって、表示装置を備えた車載用パネルユニットの外観を示す斜視図である。
【図２】本発明の第１実施形態の表示装置を説明する構成図であって、図２（ａ）は、「オーディオ操作モード」における表示装置の正面図であり、図２（ｂ）は、「エアコン操作モード」における表示装置の正面図である。
【図３】本発明の第１実施形態の表示装置を説明する断面構成図である。
【図４】本発明の第１実施形態の表示装置を説明する図であって、表示装置における光路の一例を示した断面構成図である。
【図５】本発明の第１実施形態の表示装置を説明する図であって、表示装置における光路の一例を示した断面構成図である。
【図６】本発明の第２実施形態の表示装置を説明する断面構成図である。
【図７】本発明の第２実施形態の表示装置を説明する図であって、表示装置における光路の一例を示した断面構成図である。
【図８】本発明の第２実施形態の表示装置を説明する図であって、表示装置における光路の一例を示した断面構成図である。
【図９】本発明の実施形態の変形例１の表示装置を説明する図であって、表示パネルを示した断面構成図である。
【図１０】本発明の実施形態の変形例２の表示装置を説明する断面構成図である。
【図１１】従来例１の操作パネル装置を説明する図であって、図１１（ａ）は、操作パネル装置のエアコン操作モードにおける正面図であり、図１１（ｂ）は、操作パネル装置のオーディオ操作モードにおける正面図であり、図１１（ｃ）は、操作パネル装置のブラックアウト加工された前面板の構造を模式的に示す要部断面図である。
【図１２】従来例２の表示装置を説明する図であって、図１２（ａ）は、表示装置の表示パネルの意匠面を示した正面図であり、図１２（ｂ）は、図１２（ａ）に示すＢ−Ｂ線における断面図である。
【発明を実施するための形態】
【００２３】  以下、本発明の実施の形態について図面を参照して説明する。
【００２４】  ［第１実施形態］  図１は、本発明の第１実施形態の表示装置１０１を説明する図であって、表示装置１０１を備えた車載用パネルユニット５０１の外観を示す斜視図である。図２は、本発明の第１実施形態の表示装置１０１を説明する構成図であって、図２（ａ）は、「オーディオ操作モード」における表示装置１０１の正面図であり、図２（ｂ）は、「エアコン操作モード」における表示装置１０１の正面図である。なお、図１では、図２に示す表示パターンＰ０１及び表示パターンＰ０２を省略している。
【００２５】  本発明の第１実施形態の表示装置１０１は、例えば、図１に示す車載用パネルユニット５０１に用いられる。車載用パネルユニット５０１は、図１に示すように、表示装置１０１が適用された操作パネル装置４０２と、操作パネル装置４０２の中央に配置された液晶表示装置４０３と、操作パネル装置４０２の挿入孔４０２ｈからＣＤやＤＶＤ等のメディアが挿入されるカーオーディオ機器４０４と、によって主に構成されている。
【００２６】  また、操作パネル装置４０２には、図１及び図２に示すように、挿入孔４０２ｈの他に、複数箇所に兼用操作ボタン４５２や専用操作ボタン４６２が露出しており、これらの兼用操作ボタン４５２及び専用操作ボタン４６２は、前面板の図示せぬ開口部内に配設されている。具体的には、操作パネル装置４０２の前面板の下側（図２に示すＺ２側）には、押圧操作可能な５個の兼用操作ボタン４５２ａが横一列に露出しており、前面板の右側（図２に示すＸ１側）には、押圧操作可能な３個の兼用操作ボタン４５２ｂが縦一列に露出している。更に、前面板の左側（図２に示すＸ２側）の下側（図２に示すＺ２側）には、押圧操作可能な２個の兼用操作ボタン４５２ｃが上下に露出しており、前面板の左側（図２に示すＸ２側）の上側（図２に示すＺ１側）には、押圧操作可能なモード切替用の専用操作ボタン４６２ｄ、専用操作ボタン４６２ｅ及び専用操作ボタン４６２ｆが縦一列に露出している。
【００２７】  この操作パネル装置４０２は、専用操作ボタン４６２ｄ（図２中の「Ａｕｄｉｏ」）或いは専用操作ボタン４６２ｅ（図２中の「Ａ／Ｃ」）を押圧操作することによって、「オーディオ操作モード」と「エアコン操作モード」とに選択的に切り替えることができる。そして、各兼用操作ボタン４５２（４５２ａ、４５２ｂ、４５２ｃ）がそれぞれ、「オーディオ操作モード」が選択されているときにはオーディオ用操作ボタンとして機能し、「エアコン操作モード」が選択されているときにはエアコン用操作ボタンとして機能するようになっている。なお、専用操作ボタン４６２ｆ（図２中の「ＯＦＦ」）は、選択されている各操作モードの動作を停止させるためのものである。
【００２８】  そして、専用操作ボタン４６２ｄが押されて、「オーディオ操作モード」になると、図２（ａ）に示すように、前面板の裏側から照光されて、各種文字や図柄等の表示パターンＰ０１が視認されるようになる。同様にして、専用操作ボタン４６２ｅが押されて、「エアコン操作モード」になると、図２（ｂ）に示すように、「オーディオ操作モード」で視認されていた表示パターンＰ０１が視認されなくなり（ブラックアウト状態）、前面板の裏側から照光されて、「エアコン操作モード」での各種文字や図柄等の表示パターンＰ０２が視認されるようになる。また、専用操作ボタン４６２ｆが押されて、各操作モードが停止されている際には、表示パターンＰ０１及び表示パターンＰ０２は、いずれもブラックアウト状態となり、視認されなくなる。このような前面板に、本発明の第１実施形態の表示装置１０１が用いられている。
【００２９】  図３は、本発明の第１実施形態の表示装置１０１を説明する断面構成図である。なお、図３は、説明を容易にするため、その一部を模式化して示しているので、実際のサイズを示しているものではない。図４は、本発明の第１実施形態の表示装置１０１を説明する図であって、表示装置１０１における光路の一例を示した断面構成図である。図５は、本発明の第１実施形態の表示装置１０１を説明する図であって、表示装置１０１における光路の一例を示した断面構成図である。なお、図４は、照光部材ＳＢ１が点灯している状態を示し、図５は、照光部材ＳＢ１が消灯している状態を示している。また、図４及び図５は、説明を容易にするため、断面のハッチングを一部省略している。
【００３０】  本発明の第１実施形態の表示装置１０１は、図３に示すように、ユーザにより視認される照光部ＡＬ１と非照光部ＮＬ１とを有した表示パネルＰＮ１と、照光部ＡＬ１を照明する照光部材ＳＢ１であるライトガイド１１及び発光光源ＬＥ１と、から構成されている。なお、本発明の第１実施形態の表示パネルＰＮ１は、前述した操作パネル装置４０２の前面板を兼用しており、図１及び図２に示すように、挿入孔４０２ｈや各操作ボタンの開口部も形成されている。但し、図３には、挿入孔４０２ｈや各操作ボタンの開口部は示しておらず、表示装置１０１の主要構成のみを示している。
【００３１】  表示パネルＰＮ１は、図３に示すように、透光性の基材１９と、照光部材ＳＢ１側（図３に示すＹ１側）の基材１９の背面１９ｂに形成されたスモーク層１３と、照光部材ＳＢ１側のスモーク層１３の主面１３ｍに形成されたカラー層１５と、照光部材ＳＢ１側のカラー層１５の主面１５ｍに形成されたブラック層１７と、から構成されている。
【００３２】  基材１９は、無色で透光性のポリカーボネートの合成樹脂からなり、図３に示すように、板状で、基材１９の一方面、つまり前面１９ａがユーザから視認される。なお、合成樹脂材料として、ポリカーボネート樹脂を用いたが、これに限るものではなく、例えばアクリル樹脂、ポリウレタン樹脂やシリコーン樹脂等を用いても良い。
【００３３】  スモーク層１３は、灰色系の色で透光性を有するアクリル系の合成樹脂からなり、図３に示すように、基材１９の背面１９ｂの全面に形成されている。そして、このスモーク層１３は、入射した光を拡散させる機能を有しており、スモーク層１３に入射した光を一様にして出射させるとともに、照光部ＡＬ１と非照光部ＮＬ１との境界をぼかすことができる。また、このスモーク層１３は、スモーク層１３を透過する透過光の色調を調整する機能を有しており、このスモーク層１３の色調を調整することで、ユーザが視認する非照光部ＮＬ１の色調と照光部ＡＬ１の色調とを、近づけることができる。
【００３４】  また、スモーク層１３における光の透光率は、１％以上であり、特に、本発明の第１実施形態では、スモーク層１３における光の透光率を１０％前後にしている。これにより、通常１％以下に設定される、従来例１の白色塗膜８４４（スモーク層）や従来例２のスモーク層９１３と比較して、スモーク層１３を透過する光をより多くすることができる。これにより、照光時において、ユーザが照光部ＡＬ１の表示パターン（図２に示すＰ０１或いはＰ０２）をより明るく視認することができる。また、視認される明るさを一定にするように照光させる場合、従来例１及び従来例２と比較して、スモーク層１３の透過率が高いので、選択する照光部材ＳＢ１の輝度をより低く抑えることができる。
【００３５】  カラー層１５は、スモーク層１３と同色系の灰色系の色で、遮光性を有するアクリル系の合成樹脂からなり、図３に示すように、スモーク層１３の主面１３ｍに形成されている。また、カラー層１５には、図３に示すように、スモーク層１３の主面１３ｍに形成されない部分、つまり開口部１５ｋを有している。そして、図４に示すように、照光部材ＳＢ１からの照射光Ｌｆが、この開口部１５ｋを通過して、更にスモーク層１３、基材１９を透過し、基材１９の前面１９ａ側に放射光Ｌｒとして放射され、その放射光Ｌｒが、ユーザにより視認される。つまり、この開口部１５ｋが照光部ＡＬ１を形成し、開口部１５ｋ以外のカラー層１５で照光部材ＳＢ１からの照射光Ｌｆが遮光されるので、開口部１５ｋ以外のカラー層１５が非照光部ＮＬ１を形成している。
【００３６】  上述したように、この照光部ＡＬ１と非照光部ＮＬ１を形成するカラー層１５の前面側にスモーク層１３を形成したので、照光部ＡＬ１と非照光部ＮＬ１のバックグラウンドの色をより一様にすることができる。このため、ユーザに対して、照光部ＡＬ１と非照光部ＮＬ１との境界をより見えにくくすることができる。
【００３７】  また、非照光時において、ユーザが視認する視認光ＡＡ（図５に示す）と視認光ＮＮ（図５に示す）との色差が、同等になるように、スモーク層１３の色味を調節している。つまり、図５に示すように、スモーク層１３を透過しない光、反射光Ａ１と反射光Ｎ１、及び反射光Ａ２と反射光Ｎ２はそれぞれ同じ強さ、色味の光であるが、それ以外のスモーク層１３を透過する光、反射光（Ｎ３、Ａ３、Ａ４、Ａ５）はそれぞれ違うので、スモーク層１３の色味を調整することで、視認光ＡＡと視認光ＮＮとの色差が、同等になるようにしている。具体的には、反射光Ａ３と反射光Ａ４と反射光Ａ５とが合成された光と、反射光Ｎ３とが、同等になるように、スモーク層１３の色味を調節している。なお、スモーク層１３では、主に、色相と彩度を調整している。
【００３８】  更に、カラー層１５は、非照光時において、ユーザが視認する視認光ＡＡ（図５に示す）と視認光ＮＮ（図５に示す）との色差が、同等になるように、カラー層１５の色味を調節している。つまり、図５に示すように、基材１９の前面１９ａを反射する反射光Ａ１と反射光Ｎ１、及び基材１９の背面１９ｂを反射する反射光Ａ２と反射光Ｎ２はそれぞれ同じ強さ、色味の光であるが、それ以外の反射光（Ｎ３、Ａ３、Ａ４、Ａ５）はそれぞれ違うので、スモーク層１３とカラー層１５との界面で反射する反射光Ｎ３を調整することで、視認光ＡＡと視認光ＮＮとの色差が、同等になるようにしている。具体的には、反射光Ａ３と反射光Ａ４と反射光Ａ５とが合成された光と、反射光Ｎ３とが、同等になるように、カラー層１５の色味を調節している。なお、カラー層１５では、主に、明度を調整している。
【００３９】  これらのことにより、非照光時において、非照光部ＮＬ１の色調と照光部ＡＬ１の色調とを近づけることができ、照光部ＡＬ１の輪郭が視認されない状態を実現することができる。なお、本発明の第１実施形態では、非照光時においては、表示パターンＰ０１及び表示パターンＰ０２が視認されない黒色系の表示パネルＰＮ１のみが視認され、照光時においては、表示パターンＰ０１或いは表示パターンＰ０２が視認される黒色系の表示パネルＰＮ１が視認される。
【００４０】  スモーク層１３の作製は、顔料と拡散材とアクリル系樹脂と溶剤とが混合された調光インクをスクリーン版で基材１９の背面１９ｂの全面に印刷し、乾燥，固化することにより、容易に行うことができる。
【００４１】  また、カラー層１５の作製は、顔料とアクリル系樹脂と溶剤とが混合された調光インクをスクリーン版でスモーク層１３の主面１３ｍに印刷し、乾燥，固化することにより、容易に行うことができる。
【００４２】  ブラック層１７は、黒色で遮光性を有するアクリル系の合成樹脂からなり、図３に示すように、カラー層１５の主面１５ｍに形成されている。そして、このブラック層１７は、照光部材ＳＢ１からの照射光Ｌｆを確実に遮光している。このため、照光時において、非照光部ＮＬ１側への照射光Ｌｆの透過を確実に防ぐことができる。また、カラー層１５にピンホール等の欠陥があった場合でも、非照光部ＮＬ１側への照射光Ｌｆの透過を防ぐことができる。
【００４３】  また、ブラック層１７の作製は、カーボンの粉末とアクリル系樹脂と溶剤とが混合された黒色インクをスクリーン版でカラー層１５の主面１５ｍに印刷し、乾燥，固化することにより、容易に行うことができる。
【００４４】  照光部材ＳＢ１は、図３及び図４に示すように、発光光源ＬＥ１と、発光光源ＬＥ１からの光が入光する入光部１１ｎを有するライトガイド１１と、を備えて構成され、表示パネルＰＮ１の背面側に配置されている。
【００４５】  ライトガイド１１は、平板状の形状を有し、その基材として、透光性を有したポリカーボネートの合成樹脂を用いている。また、ライトガイド１１は、図３及び図４に示すように、表示パネルＰＮ１と対向するように配設されており、表示パネルＰＮ１と対向する前面１１ｕと反対側のライトガイド１１の後面１１ｄには、照光部ＡＬ１に対応した位置に、散乱層１４が形成されている。また、ライトガイド１１の端部には、発光光源ＬＥ１からの光を入光する入光部１１ｎを有している。そして、図４に示すように、入光部１１ｎから入光した光Ｌａは、ライトガイド１１の前面１１ｕや後面１１ｄにおける空気との境界部で反射を繰り返してライトガイド１１の内部を伝搬する。なお、合成樹脂材料として、ポリカーボネート樹脂を用いたが、これに限るものではなく、例えばアクリル樹脂、ポリウレタン樹脂やシリコーン樹脂等を用いても良い。
【００４６】  散乱層１４には、層内部で光を反射する粒界を持つ結晶性の材料を用いるか、或いは、所望の材料が混合されて内部で光の透過経路が変化する材料を用いている。例えば、所望の材料として、二酸化チタン、二酸化ジルコニウム（ジルコニア）、酸化マグネシウムや炭酸カルシウム等の粉末を用いる。これにより、散乱層１４は、図４に示すように、ライトガイド１１を伝搬してきた光Ｌｂの一部が散乱層１４に到達した際に、その到達した光Ｌｃを散乱させて前面側（図４に示すＹ２側）へ反射させ、反射散乱光Ｌｄとすることができる。そして、この反射散乱光Ｌｄの一部でカラー層１５の開口部１５ｋに達した照射光Ｌｆが、スモーク層１３、基材１９を透過し、基材１９の前面１９ａ側に、放射光Ｌｒとして放射される。これにより、ユーザが前面側（図１に示すＹ２側）から表示装置１０１を視認した際、ユーザは、この放射光Ｌｒを視認することができ、照明された表示パターンＰ０１及び表示パターンＰ０２を確認することができる。
【００４７】  発光光源ＬＥ１は、側面発光方式のＬＥＤ（Light Emitting Diode）を好適に用いており、例えばプリント配線板５９に搭載され、図３に示すように、入光部１１ｎと対向する位置に配置されているとともに、入光部１１ｎに光を入光できる向きに発光面を向けて配置されている。このようにして、発光光源ＬＥ１を側面に配設して、発光光源ＬＥ１からの光をライトガイド１１に伝搬させているので、表示装置１０１の薄型化が図れるとともに、照光時において、発光光源ＬＥ１からの光を照光部ＡＬ１に効率良く導くことができる。
【００４８】  以上のように、本発明の第１実施形態の表示装置１０１は、本発明の表示装置１０１は、表示パネルＰＮ１の基材１９の背面１９ｂにスモーク層１３を形成することで、照光部ＡＬ１と非照光部ＮＬ１のバックグラウンドの色をより一様にすることができる。このため、ユーザに対して、照光部ＡＬ１と非照光部ＮＬ１との境界をより見えにくくすることができる。更に、スモーク層１３の照光部材ＳＢ１側の主面１３ｍに黒色ではないカラー層１５を形成することで、非照光時において、非照光部ＮＬ１のスモーク層１３とカラー層１５との界面での反射光Ｎ３をユーザが視認することになる。このため、カラー層１５の色調を調整することで、この界面での反射光Ｎ３を調節して、ユーザが視認する非照光部ＮＬ１の色調と照光部ＡＬ１の色調とを、近づけることができる。更に、スモーク層１３の色調も調整することで、スモーク層１３を透過する透過光を調節して、ユーザが視認する非照光部ＮＬ１の色調と照光部ＡＬ１の色調とを、より近づけることができる。これらのことにより、非照光時において、照光部ＡＬ１の輪郭が視認されない状態を実現することができる。したがって、非照光時において、簡易な構成で照光部ＡＬ１の表示パターン（例えば図２に示すＰ０１或いはＰ０２）が視認されない表示装置１０１を提供することができる。
【００４９】  また、カラー層１５の照光部材ＳＢ１側の主面１５ｍに遮光性のブラック層１７が形成されているので、このブラック層１７により、照光部材ＳＢ１からの照射光Ｌｆを確実に遮光することができる。このため、照光時において、非照光部ＮＬ１側への照射光Ｌｆの透過を確実に防ぐことができる。また、カラー層１５にピンホール等の欠陥があった場合でも、非照光部ＮＬ１側への照射光Ｌｆの透過を防ぐことができる。このことにより、照光時において、照光部ＡＬ１と非照光部ＮＬ１の差を明確にすることができ、適用される製品の意匠性を高めることができる。
【００５０】  また、スモーク層１３の透光率が１％以上であるので、照光部ＡＬ１を透過する照射光Ｌｆをより多くすることができる。このことにより、照光時において、ユーザが照光部ＡＬ１の表示パターン（図２に示すＰ０１或いはＰ０２）をより明るく視認することができる。また、視認される明るさを一定にするように照光させる場合、スモーク層１３の透過率が高いので、選択する照光部材ＳＢ１の輝度をより低く抑えることができ、表示装置１０１の省電力化を行うことができる。
【００５１】  また、照光部材ＳＢ１が発光光源ＬＥ１と発光光源ＬＥ１からの光が入光する入光部１１ｎを有するライトガイド１１とを備えているので、照光時において、発光光源ＬＥ１からの光を照光部ＡＬ１に効率良く導くことができる。このことにより、照光部ＡＬ１を均一に光らせることができ、適用される製品の品質を高めることができる。
【００５２】  なお、上記第１実施形態では、表示装置１０１が車載用パネルユニット５０１に用いられた場合を例にして説明したが、車載用機器に限らず、その他の電気機器、例えば携帯機器等に用いることもできる。
【００５３】［第２実施形態］  図６は、本発明の第２実施形態の表示装置１０２を説明する断面構成図である。図７は、本発明の第２実施形態の表示装置を説明する図であって、表示装置における光路の一例を示した側面構成図である。図７は、照光部材ＳＢ２が点灯している状態を示している。図８は、本発明の第２実施形態の表示装置１０２を説明する図であって、表示装置１０２における光路の一例を示した側面構成図である。図８は、照光部材ＳＢ２が消灯している状態を示している。なお、図７及び図８は、説明を容易にするため、断面のハッチングを一部省略している。また、第２実施形態の表示装置１０２は、第１実施形態に対し、照光部材ＳＢ２の構成が異なる。なお、第１実施形態と同一構成については、同一符号を付して詳細な説明は省略する。
【００５４】  本発明の第２実施形態の表示装置１０２は、図６に示すように、ユーザにより視認される照光部ＡＬ２と非照光部ＮＬ２とを有した表示パネルＰＮ２と、照光部ＡＬ２を照明する照光部材ＳＢ２であるライトガイド２１及び発光光源ＬＥ２と、から構成されている。
【００５５】  表示パネルＰＮ２は、図６に示すように、透光性の基材２９と、照光部材ＳＢ２側｛図６に示すＹ１側｝の基材２９の背面２９ｂに形成されたスモーク層２３と、照光部材ＳＢ２側のスモーク層２３の主面２３ｍに形成されたカラー層２５と、照光部材ＳＢ２側のカラー層２５の主面２５ｍに形成されたブラック層１７と、から構成されている。
【００５６】  基材２９は、無色で透光性のポリカーボネートの合成樹脂からなり、図６に示すように、板状で、基材２９の一方面、つまり前面２９ａがユーザから視認される。なお、合成樹脂材料として、ポリカーボネート樹脂を用いたが、これに限るものではなく、例えばアクリル樹脂、ポリウレタン樹脂やシリコーン樹脂等を用いても良い。また、本発明の第２実施形態では、基材２９の色として、好適に銀色系の色を選択した。
【００５７】  スモーク層２３は、白色系の色で透光性を有するアクリル系の合成樹脂からなり、図３に示すように、基材２９の背面２９ｂの全面に形成されている。そして、このスモーク層２３は、入射した光を拡散させる機能を有しており、スモーク層２３に入射した光を一様にして出射させるとともに、照光部ＡＬ２と非照光部ＮＬ２との境界をぼかすことができる。また、このスモーク層２３は、スモーク層２３を透過する透過光の色調を調整する機能を有しており、このスモーク層２３の色調を調整することで、ユーザが視認する非照光部ＮＬ２の色調と照光部ＡＬ２の色調とを、近づけることができる。
【００５８】  また、このスモーク層２３における光の透光率は、１％以上であり、特に、本発明の第２実施形態では、スモーク層２３における光の透光率を７％前後にしている。これにより、通常１％以下に設定される、従来例１の白色塗膜８４４（スモーク層）や従来例２のスモーク層９１３と比較して、スモーク層２３を透過する光をより多くすることができる。これにより、照光時において、ユーザが照光部ＡＬ２の表示パターンをより明るく視認することができる。また、視認される明るさを一定にするように照光させる場合、従来例１及び従来例２と比較して、スモーク層２３の透過率が高いので、選択する照光部材ＳＢ２の輝度をより低く抑えることができる。
【００５９】  カラー層２５は、銀色系の色で、遮光性を有するポリエステル系の合成樹脂からなり、図６に示すように、スモーク層２３の主面２３ｍに形成されている。また、カラー層２５には、図６に示すように、スモーク層２３の主面２３ｍに形成されない部分、つまり開口部２５ｋを有している。そして、図７に示すように、照光部材ＳＢ２からの照射光Ｌｆが、この開口部２５ｋを通過して、更にスモーク層２３、基材２９を透過し、基材２９の前面２９ａ側に放射光Ｌｒとして放射され、その放射光Ｌｒが、ユーザにより視認される。つまり、この開口部２５ｋが照光部ＡＬ２を形成し、開口部２５ｋ以外のカラー層２５で照光部材ＳＢ２からの照射光Ｌｆが遮光されるので、開口部２５ｋ以外のカラー層２５が非照光部ＮＬ２を形成している。
【００６０】  上述したように、この照光部ＡＬ２と非照光部ＮＬ２を形成するカラー層２５の前面側にスモーク層２３を形成したので、照光部ＡＬ２と非照光部ＮＬ２のバックグラウンドの色をより一様にすることができる。このため、ユーザに対して、照光部ＡＬ２と非照光部ＮＬ２との境界をより見えにくくすることができる。
【００６１】  また、非照光時において、ユーザが視認する視認光ＡＡ（図８に示す）と視認光ＮＮ（図８に示す）との色差が、同等になるように、スモーク層２３の色味を調節している。つまり、図８に示すように、スモーク層２３を透過しない光、反射光Ａ６と反射光Ｎ６、及び反射光Ａ７と反射光Ｎ７はそれぞれ同じ強さ、色味の光であるが、それ以外のスモーク層２３を透過する光、反射光（Ｎ８、Ａ８、Ａ９、Ａ１０、Ａ１１）はそれぞれ違うので、スモーク層２３の色味を調整することで、視認光ＡＡと視認光ＮＮとの色差が、同等になるようにしている。具体的には、反射光Ａ８と反射光Ａ９と反射光Ａ１０と反射光Ａ１１とが合成された光と、反射光Ｎ８とが、同等になるように、スモーク層２３の色味を調節している。なお、スモーク層２３では、主に、色相と彩度を調整している。
【００６２】  更に、カラー層２５は、非照光時において、ユーザが視認する視認光ＡＡ（図８に示す）と視認光ＮＮ（図８に示す）との色差が、同等になるように、カラー層２５の色味を調節している。つまり、図８に示すように、基材２９の前面２９ａを反射する反射光Ａ６と反射光Ｎ６、及び基材２９の背面２９ｂを反射する反射光Ａ７と反射光Ｎ７はそれぞれ同じ強さ、色味の光であるが、それ以外の反射光（Ｎ８、Ａ８、Ａ９、Ａ１０、Ａ１１）はそれぞれ違うので、スモーク層２３とカラー層２５との界面で反射する反射光Ｎ６を調整することで、視認光ＡＡと視認光ＮＮとの色差が、同等になるようにしている。具体的には、反射光Ａ８、反射光Ａ９、反射光Ａ１０、及び反射光Ａ１１が合成された光と、反射光Ｎ８とが、同等になるように、カラー層２５の色味を調節している。なお、カラー層２５では、主に、明度を調整している。
【００６３】  これらのことにより、非照光時において、非照光部ＮＬ２の色調と照光部ＡＬ２の色調とを近づけることができ、照光部ＡＬ２の輪郭が視認されない状態を実現することができる。なお、本発明の第２実施形態では、非照光時においては、表示パターンが視認されない白色系の表示パネルＰＮ２のみが視認され、照光時においては、表示パターンが視認される白色系の表示パネルＰＮ２が視認される。
【００６４】  また、スモーク層２３の作製は、顔料と拡散材とアクリル系樹脂と溶剤とが混合された調光インクをロールコータで基材２９の背面２９ｂの全面に印刷し、乾燥，固化することにより、容易に行うことができる。
【００６５】  また、カラー層２５の作製は、顔料とアクリル系樹脂と溶剤とが混合された調光インクをスクリーン版でスモーク層２３の主面２３ｍに印刷し、乾燥，固化することにより、容易に行うことができる。
【００６６】  照光部材ＳＢ２は、図６及び図７に示すように、発光光源ＬＥ２と、発光光源ＬＥ２からの光が入光する入光部２１ｎを有するライトガイド２１と、ライトガイド２１と表示パネルＰＮ２との間に配設された散乱部材２４と、を備えて構成され、表示パネルＰＮ２の背面側に配置されている。
【００６７】  ライトガイド２１は、ブロック状の形状を有し、その基材として、透光性を有したアクリルの合成樹脂を用いている。また、ライトガイド２１は、図６に示すように、表示パネルＰＮ２と対向するように配設されており、表示パネルＰＮ２とライトガイド２１との間には、照光部ＡＬ２に対応した位置に、散乱部材２４が配設されている。また、ライトガイド２１の端部には、発光光源ＬＥ２からの光を入光する入光部２１ｎを有している。そして、図７に示すように、入光部２１ｎから入光した光Ｌａは、ライトガイド２１の内部を伝搬し、ライトガイド２１を伝搬してきた光Ｌｂは、散乱部材２４に入射する。なお、合成樹脂材料として、アクリル樹脂を用いたが、これに限るものではなく、例えばポリウレタン樹脂、ポリカーボネート樹脂やシリコーン樹脂等を用いても良い。
【００６８】  散乱部材２４は、層内部で光を反射、散乱させる性質を有するフィルム材を用い、表示パネルＰＮ２と対向する側のライトガイド２１に貼り付けられている。これにより、図７に示すように、散乱部材２４に入射した光Ｌｂは、反射、散乱されて、前面側（図７に示すＹ２側）へ照射光Ｌｆとして放射される。そして、この照射光Ｌｆの一部でカラー層２５の開口部２５ｋに達した照射光Ｌｆが、スモーク層２３、基材２９を透過し、基材１９の前面１９ａ側に、放射光Ｌｒとして放射される。これにより、ユーザが前面側から表示装置１０２を視認した際、ユーザは、この放射光Ｌｒを視認することができ、照明された表示パターンを確認することができる。
【００６９】  発光光源ＬＥ２は、上面発光方式のＬＥＤ（Light Emitting Diode）を好適に用いており、例えばプリント配線板５９に搭載され、図６に示すように、入光部２１ｎと対向する位置に配置されているとともに、入光部２１ｎに光を入光できる向きに発光面を向けて配置されている。
【００７０】  以上のように、本発明の第２実施形態の表示装置１０２は、表示パネルＰＮ２の基材２９の背面２９ｂにスモーク層２３を形成することで、照光部ＡＬ２と非照光部ＮＬ２のバックグラウンドの色をより一様にすることができる。このため、ユーザに対して、照光部ＡＬ２と非照光部ＮＬ２との境界をより見えにくくすることができる。更に、スモーク層２３の照光部材ＳＢ２側の主面２３ｍに黒色ではないカラー層２５を形成することで、非照光時において、非照光部ＮＬ２のスモーク層２３とカラー層２５との界面での反射光Ｎ３をユーザが視認することになる。このため、カラー層２５の色調を調整することで、この界面での反射光Ｎ３を調節して、ユーザが視認する非照光部ＮＬ２の色調と照光部ＡＬ２の色調とを、近づけることができる。更に、スモーク層２３の色調も調整することで、スモーク層２３を透過する透過光を調節して、ユーザが視認する非照光部ＮＬ２の色調と照光部ＡＬ２の色調とを、より近づけることができる。これらのことにより、非照光時において、照光部ＡＬ２の輪郭が視認されない状態を実現することができる。したがって、非照光時において、簡易な構成で照光部ＡＬ２の表示パターンが視認されない表示装置１０２を提供することができる。
【００７１】  また、スモーク層２３の透光率が１％以上であるので、照光部ＡＬ２を透過する照射光Ｌｆをより多くすることができる。このことにより、照光時において、ユーザが照光部ＡＬ２の表示パターンをより明るく視認することができる。また、視認される明るさを一定にするように照光させる場合、スモーク層２３の透過率が高いので、選択する照光部材ＳＢ２の輝度をより低く抑えることができ、表示装置１０２の省電力化を行うことができる。
【００７２】  また、照光部材ＳＢ２が発光光源ＬＥ２と発光光源ＬＥ２からの光が入光する入光部２１ｎを有するライトガイド２１とを備えているので、照光時において、発光光源ＬＥ２からの光を照光部ＡＬ２に効率良く導くことができる。このことにより、照光部ＡＬ２を均一に光らせることができ、適用される製品の品質を高めることができる。
【００７３】  なお、本発明は上記実施形態に限定されるものではなく、例えば次のように変形して実施することができ、これらの実施形態も本発明の技術的範囲に属する。
【００７４】  図９は、本発明の実施形態の変形例１の表示装置を説明する図であって、表示パネルＣＰＮを示した断面構成図である。図１０は、本発明の第２実施形態の変形例２の表示装置Ｃ１０３を説明する断面構成図である。
【００７５】  ＜変形例１＞  上記第１実施形態では黒色系の表示パネルＰＮ１にし、上記第２実施形態では白色系の表示パネルＰＮ２にしたが、黒色系及び白色系に限るものではなく、例えば、赤色系や青色系等の他の色系でも良い。例えば、図９に示す赤色系の表示パネルＣＰＮの場合、無色で透光性の基材ＣＲ９と白色系で透光性のスモーク層ＣＲ３と銀色系で遮光性のカラー層ＣＲ５と黒色で遮光性のブラック層ＣＲ７を組み合わせて構成すると良い。更に、図９に示すように、スモーク層ＣＲ３とカラー層ＣＲ５との間に、白色系で透光性のホワイト層ＣＲ４を設けると、赤色の彩度を高めることができ、より好適である。
【００７６】  ＜変形例２＞  上記第２実施形態では、ライトガイド２１を設けるように好適に構成したが、図１０に示すように、ライトガイド２１を設けずに、照光部材ＣＳＢとして、照光部ＡＬ２を直接照明している発光光源ＣＬＥを有している構成でも良い。これにより、照光時において、照光部ＡＬ２を直接照明でき、表示パターンをより一層益々明るく表示することができる。
【００７７】  ＜変形例３＞  上記第２実施形態では、ライトガイド２１を設けるように好適に構成したが、ライトガイド２１を設けずに、表示パネルＰＮ２と発光光源ＬＥ２との間に、透光性を有した装置、例えばメンブレンスイッチ装置等が配設されていても良い。
【００７８】  ＜変形例４＞  上記実施形態では、ブラック層１７を設けるように好適に構成したが、ブラック層１７を設けない構成でも良い。
【００７９】  本発明は上記実施の形態に限定されず、本発明の目的の範囲を逸脱しない限りにおいて適宜変更することが可能である。
【符号の説明】
【００８０】１１、２１  ライトガイド１１ｎ、２１ｎ  入光部１３、２３、ＣＲ３  スモーク層１３ｍ、２３ｍ  主面１５、２５、ＣＲ５  カラー層１５ｋ、２５ｋ  開口部１５ｍ、２５ｍ  主面１７、ＣＲ７  ブラック層１９、２９、ＣＲ９    基材１９ｂ、２９ｂ  背面１０１、１０２、Ｃ１０３  表示装置ＡＬ１、ＡＬ２、ＣＡＬ  照光部ＬＥ１、ＬＥ２、ＣＬＥ  発光光源ＮＬ１、ＮＬ２  非照光部ＰＮ１、ＰＮ２、ＣＰＮ  表示パネルＳＢ１、ＳＢ２、ＣＳＢ  照光部材
【図１】
2014129577.tif 000003
【図２】
2014129577.tif 000004
【図３】
2014129577.tif 000005
【図４】
2014129577.tif 000006
【図５】
2014129577.tif 000007
【図６】
2014129577.tif 000008
【図７】
2014129577.tif 000009
【図８】
2014129577.tif 000010
【図９】
2014129577.tif 000011
【図１０】
2014129577.tif 000012
【図１１】
2014129577.tif 000013
【図１２】
2014129577.tif 000014
【国際調査報告】
2014129577.tif 000015
2014129577.tif 000016
2014129577.tif 000017
2014129577.tif 000018